(57)【要約】【課題】  かご上作業スペースが容易に得られると共に、かご枠の上梁上面から出張ることなくかご上作業用の手摺が配置されるエレベーターのかご装置を得る。【解決手段】  水平投影面においてＬ字状の手摺５の一辺６をかご枠１上梁２の長手端部における鉛直面７に締結し、Ｌ字の他辺９をかご室の奥行き方向に延長して配置する。  これによって、手摺５の一辺６を上梁２鉛直面７に締結し、上梁２に装着されて昇降路の案内レールに係合したかご案内具を避けた位置に、簡易な締結部構成により所要の強度に手摺５を装着できる。また、手摺５の他辺９をかごの間口方向の縁部寄りに配置でき、かご上作業スペースを広くでき作業性を向上する。さらに、上梁２上面から手摺５が出張らず、かごの最上階停止時に昇降路頂部との空隙が確保できかご上作業を容易化する。【選択図】        図１
2005145666.tif 000002
【特許請求の範囲】
【請求項１】
上梁、間口方向の両側にそれぞれ配置された側枠及びかご室を支持する下梁がロ字状に組立てられたかご枠と、水平投影面においてＬ字状をなしＬ字の一辺が上記上梁の長手端部における鉛直面に締結されＬ字の他辺は上記かご室の奥行き方向に延在する手摺とを備えたエレベーターのかご装置。
【請求項２】
かご室の前側の出入口を開閉する戸を駆動する開閉装置を支持し、両側の側枠に水平に設けられて上記かご室の奥行き寸法に対応した長さを有する桁と、手摺における他辺の先端及びこの先端に対応した位置において上記桁を連結して立設された束柱とを備えたことを特徴とする請求項１記載のエレベーターのかご装置。
【請求項３】
長手がかご室の奥側の縁部に沿って配置され、両端がそれぞれ上記かご室の後側に配置された手摺の他辺における先端に締結された奥側手摺を備えたことを特徴とする請求項１及び請求項２のいずれか一つに記載のエレベーターのかご装置。
【請求項４】
上梁、間口方向の両側にそれぞれ配置された側枠及びかご室を支持する下梁がロ字状に組立てられたかご枠と、上記かご室の前側の出入口を開閉する戸を駆動する開閉装置を支持し、両側の上記側枠に水平に設けられて上記かご室の奥行き寸法に対応した長さを有する桁と、枠状をなし上枠が上記かご枠の上梁の上面よりも下側に配置されて縦枠が上枠の両端部にそれぞれ設けられて下端が回動手段によって上記桁に枢着された後部手摺と、起立姿勢に配置された上記後部手摺を上記上梁に締結する締結具とを備えたエレベーターのかご装置。
【請求項５】
枠状をなし起立した後部手摺の相互間に配置されて長手がかご室の奥側の縁部に沿って配置され、長手端部がそれぞれ対向した上記後部手摺におけるかご室後部側の縦枠に締結されて、上記後部手摺を起立姿勢に保持する奥側手摺を備えたことを特徴とする請求項４記載のエレベーターのかご装置。
【発明の詳細な説明】
【技術分野】
【０００１】
この発明は、かご上での保守作業等のためにかご上作業用の手摺がかご上部に装備されたエレベーターのかご装置に関する。
【背景技術】
【０００２】
従来のエレベーターのかご装置においては、上梁、間口方向の両側にそれぞれ配置された側枠及びかご室を支持する下梁がロ字状に組立てられたかご枠が設けられる。そして、かご室上での保守作業等のためのかご上作業用の手摺が、かご枠の上梁の長手端部の上面に締結されてかご室の奥行き方向に延長されている。（例えば、特許文献１参照）。
【０００３】
【特許文献１】特開平５−２４６６５９号公報（第２頁、図１）
【発明の開示】
【発明が解決しようとする課題】
【０００４】
従来のエレベーターのかご装置では、昇降路に立設された案内レールに移動自在に係合した案内具が、かご枠の上梁の長手端部の上面に装着される。このため、案内具を避けた位置に手摺を設けることになり、手摺の位置がかごの間口の中心側寄りとなるので、かご上作業スペースが狭くなり作業性が悪くなる。また、手摺の装着位置をかごの間口の外側寄りとするためには、手摺としての強度を確保すると共に、案内具を避けて手摺を上梁に装着することが必要となる。このため、上梁に対して手摺を締結するための締結部の構造が複雑となる。
【０００５】
このため、手摺の上梁に対する締結部の構造の複雑化によって費用が嵩むという問題点があった。また、手摺が上梁の上面に装着されるので、かごが建物の最上階に停止したときの昇降路頂部との空隙が減少する。このため、昇降路頂部に建築梁や突起物がある場合にはかご上作業が制約されるので、昇降路全高を増すことになり昇降路の構築費が増大するという問題点があった。
【０００６】
この発明は、かかる問題点を解消するためになされたものであり、かご上作業スペースが容易に得られると共に、かご上作業用の手摺がかご枠の上梁上面から出張ることなく配置されたエレベーターのかご装置を得ることを目的とする。
【課題を解決するための手段】
【０００７】
この発明に係るエレベーターのかご装置においては、上梁、間口方向の両側にそれぞれ配置された側枠及びかご室を支持する下梁がロ字状に組立てられたかご枠と、水平投影面においてＬ字状をなしＬ字の一辺が上梁の長手端部における鉛直面に締結されＬ字の他辺はかご室の奥行き方向に延在する手摺とが設けられる。
【発明の効果】
【０００８】
この発明によるエレベーターのかご装置は、Ｌ字状の手摺の一辺が上梁の鉛直面に締結されるので、昇降路に立設された案内レールに移動自在に係合して上梁に装着された案内具を避けた位置に、簡易な締結部構成によって手摺を装着することができる。これにより、少ない費用によって所要の強度を有する手摺を実現する効果がある。また、手摺の他辺をかごの間口方向の縁部寄りに容易に配置できて、かご上作業スペースが狭くなることが解消されて作業性を向上する効果がある。
【０００９】
さらに、かご枠の上梁上面から出張ることなく手摺が配置されるので、かごが建物の最上階に停止したときの昇降路頂部との空隙が減少することがない。したがって、昇降路頂部に建築梁や突起物がある場合であっても、かご上作業が制約されることがなく作業を容易化する効果があり、また昇降路全高を増す必要がなく昇降路の構築費を節減することができる。
【発明を実施するための最良の形態】
【００１０】
実施の形態１．
図１は、この発明の実施の形態を示す図で、エレベーターのかごの要部を概念的に示す平面図である。図において、かご枠１が上梁２、間口方向の両側にそれぞれ配置された側枠３及びかご室（図示しない）を支持する下梁４がロ字状に組立てられて形成される。また、手摺５が水平投影面においてＬ字状に形成されて、Ｌ字の一辺６が上梁２の長手端部における鉛直面７にボルト及びナットからなる締結具８によって締結される。そして、手摺５のＬ字の他辺９はかご室の奥行き方向に延長されて先端がかご室の奥行き方向の縁部寄りに配置される。
【００１１】
なお、手摺５は上梁２の長手両端部にそれぞれ設けられて、上梁２の前側及び後側にそれぞれ設けられる。また、上梁２の後側に設けられた手摺５の他辺９の突出端の相互間に奥側手摺１０が設けられて、これの長手端がボルト及びナットからなる締結具１１によって手摺５の他辺９の突出端に締結される。また、図示が省略してあるが昇降路（図示しない）立設された案内レールに移動自在に係合する案内具（図示しない）が上梁２に設けられ、案内具の取付板１２が上梁２の長手両端部それぞれの上面に装着されている。
【００１２】
上記のように構成されたエレベーターのかご装置において、Ｌ字状をなす手摺５の一辺６が上梁２の鉛直面７に締結具８によって締結される。このため、昇降路に立設された案内レールに移動自在に係合した案内具を避けた位置に、簡易な締結部構成によって手摺５を装着することができる。これにより、手摺５の他辺９をかごの間口方向の縁部寄りに容易に配置することができ、かつ少ない費用によって所要の強度に手摺５を装着することができる。
【００１３】
また、手摺５の他辺９をかごの間口方向の縁部寄りに配置できるので、かご上作業スペースが狭くなることはなく作業性を向上することができる。さらに、かご枠１の上梁２上面から出張ることなく手摺５が配置されるので、かごが建物の最上階に停止したときの昇降路頂部との空隙が減少することがない。したがって、昇降路頂部に建築梁や突起物がある場合であっても、かご上作業が制約されることがなく作業を容易化でき、また昇降路の全高を増す必要がなく昇降路の構築費を節減することができる。
【００１４】
実施の形態２．
図２及び図３は、この発明の他の実施の形態を示す図で、図２はエレベーターのかごを概念的に示す側面図、図３は図２の平面図である。図において、図１と同符号は相当部分を示し、かご枠１内にかご室１３が配置されて下梁４に載置される。そして、かご室１３の前側の出入口を開閉する戸１４が設けられて、戸１４を駆動する開閉装置１５を支持する桁１６が側枠３のそれぞれに設けられる。
【００１５】
なお、桁１６はかご室１３の奥行き寸法に対応した長さを備え、長手中間が側枠３の上部寄りに締結される。
そして、手摺５における他辺９の先端と、この先端に対応した桁１６位置との間に束柱１７が設けられて、束柱１７の長手両端部がそれぞれ対向した他辺９先端、桁１６に締結される。なお、それぞれの手摺５の他辺９先端にそれぞれ束柱１７が配置される。
【００１６】
上記のように構成されたエレベーターのかご装置においても、Ｌ字状をなす手摺５の一辺６が上梁２の鉛直面７に締結具８によって締結される。これにより、手摺５の他辺９をかごの間口方向の縁部寄りに容易に配置することができ、また手摺５が上梁２上面から出張ることがない。したがって、詳細な説明を省略するが図２及び図３の実施の形態においても図１の実施の形態と同様な作用が得られる。また、束柱１７によってそれぞれの手摺５の他辺９先端が支持されるので、手摺５の安定性が増しかご上作業を容易化することができる。
【００１７】
実施の形態３．
図４〜図９も、この発明の他の実施の形態を示す図で、図４はエレベーターのかごを概念的に示す側面図、図５は図４の平面図、図６は図４のＡ−Ａ線断面図、図７は図４において手摺を畳んだ状態を示す図、図８は図７の平面図、図９は図７のＢ−Ｂ線断面図である。図において、図１、図２及び図３と同符号は相当部分を示し、かご室１３の上方における後側に枠状の後部手摺１８が設けられ、かご室１３の間口方向の両側にそれぞれ配置される。
【００１８】
そして、後部手摺１８の上枠１９がかご枠１の上梁２の上面よりも下側に配置されてかご室１３の間口方向の縁部寄りに配置される。また、後部手摺１８の縦枠２０が上枠１９の両端部にそれぞれ設けられて下端がヒンジからなる回動手段２１によって桁１６に枢着される。そして、上枠１９の上梁２との対向面に取付板２２が設けられて、蝶ボルトからなる締結具２３によって取付板２２を介し、後部手摺１８が上枠１９の鉛直面７に締結される。
【００１９】
また、両側の後部手摺１８の相互間におけるかご室１３の後側の縁部に枠状の奥側手摺２４が設けられて、長手端部がそれぞれ対向した後部手摺１８における後側の縦枠２０に上下方向に互いに離れた位置において二本の蝶ボルト２５によって締結される。なお、奥側手摺２４は不要時に蝶ボルト２５による締結が解除され後部手摺１８から取り外されて桁１６の間に平らに配置される。また、後部手摺１８は不要時に上枠１９との締結具２３による締結が解除されて回動して倒伏姿勢となり、奥側手摺２４、後部手摺１８が締結具２３等によってかご室１３天井に締結されて図７に示す状態に配置される。
【００２０】
上記のように構成されたエレベーターのかご装置において、かご上作業時に後部手摺１８が回動手段２１を介して回動されて図４に示す起立姿勢に配置され、締結具２３によって取付板２２を介して上梁２の鉛直面７に締結される。そして、奥側手摺２４が起立した後部手摺１８の相互間に配置されて蝶ボルト２５によって後部手摺１８に締結され、図４に示す状態に強固に組立てられる。
【００２１】
これによって、手摺５の他辺９、後部手摺１８をかごの間口方向の縁部寄りに容易に配置することができ、また手摺５、後部手摺１８が上梁２上面から出張ることがない。したがって、詳細な説明を省略するが図４〜図９の実施の形態においても図１の実施の形態、図２及び図３の実施の形態と同様な作用が得られる。
【００２２】
また、かご上作業が行われない通常時には奥側手摺２４は不要時に後部手摺１８から取り外されて桁１６の間に平らに配置され、また後部手摺１８は上梁２との締結具２３による締結が解除されて倒伏姿勢となる。これにより、図７に示すようにかごの後部における後部手摺１８等からなる突出構造物が無くなる。
【００２３】
このため、エレベーターの通常運転時においてかごが建物の最上階に停止するときの、かごの後部上端と昇降路頂部に設けられた建築梁や突起物との間に空隙を容易に確保することができる。したがって、昇降路頂部位置を低くすることができ昇降路の構築費を低減することができ、また後部手摺１８等が通常運転時に折り畳まれて締結されるので、かごの昇降に伴う風切り音、走行騒音、振動の発生を解消することができる。
【図面の簡単な説明】
【００２４】
【図１】この発明の実施の形態１を示す図で、エレベーターのかごの要部を概念的に示す平面図。
【図２】この発明の実施の形態２を示す図で、エレベーターのかごを概念的に示す側面図。
【図３】図２の平面図。
【図４】この発明の実施の形態３を示す図で、エレベーターのかごを概念的に示す側面図。
【図５】図４の平面図。
【図６】図４のＡ−Ａ線断面図。
【図７】図４において手摺を畳んだ状態を示す図。
【図８】図７の平面図。
【図９】図７のＢ−Ｂ線断面図。
【符号の説明】
【００２５】
１  かご枠、２  上梁、３  側枠、４  下梁、５  手摺、６  一辺、７  鉛直面、９  他辺、１０  奥側手摺、１３  かご室、１４  戸、１５  開閉装置、１６  桁、１７  束柱、１８  後部手摺、１９  上枠、２０  縦枠、２１  回動手段、２３  締結具、２４  奥側手摺。
【図１】
2005145666.tif 000003
【図２】
2005145666.tif 000004
【図３】
2005145666.tif 000005
【図４】
2005145666.tif 000006
【図５】
2005145666.tif 000007
【図６】
2005145666.tif 000008
【図７】
2005145666.tif 000009
【図８】
2005145666.tif 000010
【図９】
2005145666.tif 000011